(57)【要約】【課題】空気の除菌を行うことができ、かつ吹出空気の供給量を確保することができるビルトイン型空気調和機を提供する。【解決手段】建屋の天井部３２に設置され、熱交換器及びファンを収容した室内ユニット３５に吹出ダクト３６が延設されたビルトイン型空気調和機であって、この室内ユニット３５の内部には、所定のイオン種を含む水を電気分解して活性酸素種を含む電解水を生成する電解水供給手段１００と、吹出ダクト３６が接続される吹出口４７の開口部を覆う態様で配置され、電解水供給手段１００から供給された活性酸素種を含む電解水と取り込んだ空気とを接触させる空気除菌手段２００と、この空気除菌手段２００を移動させ、吹出口の開口部を覆う面積を調整可能な移動手段３００とを備えた。【選択図】図５
2009097768.tif 000002
【特許請求の範囲】
【請求項１】
建屋の天井部に設置され、熱交換器及びファンを収容した室内ユニットに吹出ダクトが延設されたビルトイン型空気調和機であって、
この室内ユニットの内部には、
所定のイオン種を含む水を電気分解して活性酸素種を含む電解水を生成する電解水供給手段と、
前記吹出ダクトが接続される吹出口の開口部を覆う態様で配置され、前記電解水供給手段から供給された活性酸素種を含む電解水と取り込んだ空気とを接触させる空気除菌手段と、
この空気除菌手段を移動させ、前記吹出口の開口部を覆う面積を調整可能な移動手段と
を備えたことを特徴とするビルトイン型空気調和機。
【請求項２】
前記吹出ダクト及び前記吹出口を２つ以上設け、前記空気除菌手段が前記吹出口の開口部間を移動可能に構成したことを特徴とする請求項１に記載のビルトイン型空気調和機。
【請求項３】
前記空気除菌手段が、移動中に少なくとも１つの吹出口の開口部の全部または一部を覆うように構成したことを特徴とする請求項２に記載のビルトイン型空気調和機。
【請求項４】
前記空気除菌手段が所定の間隔で往復移動するように、前記移動手段を制御する制御手段を備えたことを特徴とする請求項２または請求項３に記載のビルトイン型空気調和機。
【発明の詳細な説明】
【技術分野】
【０００１】
本発明は、本発明は、空中浮遊微生物（細菌、ウィルス、真菌（以下、単に「ウィルス等」という。））の除去が可能なビルトイン型空気調和機に関する。
【背景技術】
【０００２】
一般に、建屋の天井空間に設置され、室内熱交換器およびファンを収容したユニット本体に、吹出ダクトが延設されると共に電装箱が設けられたビルトイン型空気調和機が知られている。このようなビルトイン型空気調和機では、ユニット本体にて熱交換された空気を、吹出ダクトを介して室内の適宜位置へ導き室内に吹き出すことができるので、室内の美観を損なうことなく最適な空気調和を実現できる。
また、従来において、空気調和装置の内部に加湿器を設け、室内に加湿された空気を供給する空気調和装置が知られている（例えば、特許文献１参照）。
【０００３】
他方、水道水等を電気分解して次亜塩素酸などの活性酸素種を含む電解水を生成し、この電解水をフィルタ等によって構成された空気除菌手段に供給し、この空気除菌手段に空気を吹き付けて接触させることにより、空気中に含まれる空中浮遊微生物を分解・除去等して、空気の除菌を行う方法が知られている。
【特許文献１】特許第２７１４０７６号公報
【発明の開示】
【発明が解決しようとする課題】
【０００４】
上述したビルトイン型空気調和機で空気の除菌を行おうとする場合、空気除菌手段を吹出ダクトの開口部が覆われるように配置することが考えられる。しかしながら、吹出ダクトの開口部を覆うと、この空気除菌手段が空気抵抗となり、室内に向けて吹き出す空気の供給量が減少してしまう。
【０００５】
本発明は、空気の除菌を行うことができ、かつ吹出空気の供給量を確保することができるビルトイン型空気調和機を提供することにある。
【課題を解決するための手段】
【０００６】
本発明では、建屋の天井部に設置され、熱交換器及びファンを収容した室内ユニットに吹出ダクトが延設されたビルトイン型空気調和機であって、この室内ユニットの内部には、所定のイオン種を含む水を電気分解して活性酸素種を含む電解水を生成する電解水供給手段と、前記吹出ダクトが接続される吹出口の開口部を覆う態様で配置され、前記電解水供給手段から供給された活性酸素種を含む電解水と取り込んだ空気とを接触させる空気除菌手段と、この空気除菌手段を移動させ、前記吹出口の開口部を覆う面積を調整可能な移動手段とを備えたことを特徴とする。
この構成によれば、吹出口の開口部を覆う面積を調整することにより、空気除菌手段を通過する空気の量を調整することができる。
【０００７】
この場合において、前記吹出ダクト及び前記吹出口を２つ以上設け、前記空気除菌手段が前記吹出口の開口部間を移動可能に構成することもできる。
この構成によれば、吹出ダクトが複数ある場合であっても、任意の吹出ダクトから除菌後の空気を供給量を調整しながら吹き出させることができる。
【０００８】
また、前記空気除菌手段が、移動中に少なくとも１つの吹出口の開口部の全部または一部を覆うように構成してもよい。
この構成によれば、空気除菌手段の移動中であっても、常に除菌した空気を室内に供給することができる。
【０００９】
さらに、前記空気除菌手段が所定の間隔で往復するように、前記移動手段を制御する制御手段を備えていてもよい。
この構成によれば、複数の吹出ダクトから、均一に除菌後の空気を吹き出させることができる。
【発明の効果】
【００１０】
本発明によれば、この室内ユニットの内部に、所定のイオン種を含む水を電気分解して活性酸素種を含む電解水を生成する電解水供給手段と、前記吹出ダクトが接続される吹出口の開口部を覆う態様で配置され、前記電解水供給手段から供給された活性酸素種を含む電解水と取り込んだ空気とを接触させる空気除菌手段と、この空気除菌手段を移動させ、前記吹出口の開口部を覆う面積を調整可能な移動手段とを備えているので、空気の除菌が必要なときには、空気除菌手段によって吹出口の開口部を覆う面積を大きくし、空気の供給量を増加させたいときには、空気除菌手段で覆う面積を小さくすることができる。そのため、空気除菌手段を通過する空気の量を調整することで、必要に応じて、除菌した空気を増加させたり、吹出空気の供給量を増加させるようにすることができる。そのため、空調運転時に室内の利用者に不便を感じさせることがない。
【発明を実施するための最良の形態】
【００１１】
以下、本発明の実施の形態を、図面に基づき説明する。
図１は、本発明に係るビルトイン型空気調和機であって、（Ａ）がパネル仕様ビルトイン型空気調和機３０の側面図、（Ｂ）がダクト仕様ビルトイン型空気調和機の側面図である。また、図２は、図１（Ａ）のパネル仕様ビルトイン型空気調和機の一部を示す斜視図、図３は、図１（Ｂ）のダクト仕様ビルトイン型空気調和機の一部を示す斜視図である。
【００１２】
図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６及び運転制御用の電装箱３７を備えている。
【００１３】
上記ユニット本体３５は、互いに対向配置されて四角枠形状に設けられた４枚の側板３８と、この側板３８の上縁部に固定された天板３９と、側板３８の下縁部の一部に固定された底板４６とで構成されている。これらの側板３８、天板３９及び底板４６の内外表面には、断熱材が貼着されている。
このユニット本体３５の側板３８には、吊り金具４１が固着されている。この吊り金具４１は、建屋３１の天井３２から垂下する吊りボルト４２に止着されるようになっており、これにより、パネル仕様ビルトイン型空気調和機３０、ダクト仕様ビルトイン型空気調和機４０が建屋３１の天井３２に懸吊されることになる。
【００１４】
このユニット本体３５の内部には、図示しない室内熱交換器、ファンおよびファンモータが収容されている。上記室内熱交換器は、図２及び図３に示す冷媒配管接続口４３に接続された冷媒配管（液管）、及び冷媒配管接続口４４に接続された冷媒配管（ガス管）を用いて、図示しない室外機に接続されている。ユニット本体３５内の室内熱交換器は、室外機から導かれる冷媒の蒸発または凝縮により、後述の如くユニット本体３５内に吸い込まれた空気を冷却し又は暖房する。
尚、図２及び図３中の符号４５Ａはドレン配管接続口を示し、符号４５Ｂはドレン排出口を示す。
【００１５】
上記吹出ダクト３６は、通常、複数本（本実施例では、２本）がユニット本体３５から延設されている。吹出ダクト３６のそれぞれは、ユニット本体３５の一つの側板３８に一体に設置された２つの吹出口４７に一端が嵌装され、他端に吹出グリル４８が取り付けられる。この吹出グリル４８は、天井板３３の適宜位置に設置されている。
【００１６】
これにより、ユニット本体３５内のファンを回転させることで、ユニット本体３５内に室内空気を吸い込み、室内熱交換器により熱交換された空気を、吹出ダクト３６を経て吹出グリル４８から室内へ吹き出すようになっている。
【００１７】
ところで、図１（Ａ）及び図２に示すパネル仕様ビルトイン型空気調和機３０では、ユニット本体３５の下部開口に天井パネル４９が嵌装されている。この天井パネル４９は、中央位置に吸込板５０を備え、この吸込板５０との隙間から室内空気を吸い込み、ユニット本体３５内へ導入することになる。
また、図１（Ｂ）及び図３に示すダクト仕様ビルトイン型空気調和機４０では、ユニット本体３５の一つの側板３８で、吹出口４７が設置された側板３８に対向する側板（すなわちダクト仕様ビルトイン型空気調和機４０の背面板３８Ｂ）に、図示しない吸込開口が形成され、この側板３８（背面板３８Ｂ）に、例えばフィルタボックス５１を介して、通常一本の吸込ダクト５２が連接されている。この吸込ダクト５２の一端部には、吸込グリル５３が嵌装され、この吸込グリル５３が天井板３３の適宜位置に設置される。この吸込グリル５３からは、室内空気が取り込まれ、吸込ダクト５２を経てユニット本体３５内へ吸い込まれる。尚、ユニット本体３５の下部開口は、本体蓋７７により閉鎖されている。
【００１８】
一方、パネル仕様ビルトイン型空気調和機３０またはダクト仕様ビルトイン型空気調和機４０の電気工事またはメンテナンスにおいては、パネル仕様ビルトイン型空気調和機３０の場合、作業者は、天井パネル４９の吸込板５０を開いてユニット本体３５内に手を挿入し、電装箱蓋６５を取り外すことにより、電装箱３７内の配線工事などを実施する。
また、ダクト仕様ビルトイン型空気調和機４０の場合には、作業者は、先ず、図１（Ｂ）に示す建屋３１の天井板３３に開設された点検口７１を閉鎖する点検口蓋７２を取り外し、この点検口７１から天井空間３４内に手を挿入し、電装箱蓋６５を取り外すことにより、電装箱３７内の配線工事などを実施する。
【００１９】
電装箱３７は、図１に示すように、ユニット本体３５の側板３８のうち、吹出ダクト３６または吸込ダクト５２が配設されていない側板３８Ａに取り付けられている。この電装箱３７には、ユニット本体３５内に設置されたファンモータ、ドレンポンプ、フロートスイッチ、電子制御弁、各種センサ、電解水供給ユニット１００（詳細は後述する）などからの内部配線（図示せず）と、電源配線、ユニット間配線またはリモコン配線などの外部配線５７が接続されている。
【００２０】
図４は、パネル仕様ビルトイン型空気調和機３０の上面図であって、天板３９を一部切り欠いて示したものである。また、図５は、図４の吹出口４７を正面から見た側面図である。なお、以下の説明において、パネル仕様ビルトイン型空気調和機３０及びダクト仕様ビルトイン型空気調和機４０のいずれにおいても同一の構造で構成されるため、パネル仕様ビルトイン型空気調和機３０について説明し、ダクト仕様ビルトイン型空気調和機４０の詳細な説明は省略する。
【００２１】
ユニット本体３５の内部には、図４に示すように、左右に並設された２つの吹出口４７が形成された側板３８の裏側には、空気除菌システム８０が設けられている。
この空気除菌システム８０は、ユニット本体３５の角部に配置された電解水供給ユニット１００（電解水供給手段）と、側板３８に沿って延在する空気除菌ユニット２００（空気除菌手段）と、この空気除菌ユニット２００の下側に位置し、側板３８の幅方向の全長に亘って延在する移動ユニット３００（移動手段）とが設けられている。
【００２２】
電解水供給ユニット１００は、電解槽１１２を備えており、この電解槽１１２は、ユニット本体３５の側板３８に着脱自在に取り付けられている。また、この電解槽１１２には、図５に示すように、給水源からの水道水等が供給される配水管１１４が接続されており、この配水管１１４には、水道水等を制御する開閉弁（図示せず）と、水道水逆止弁（図示せず）とがそれぞれ設けられている。これらの開閉弁及び水道水逆止弁は、電装箱３７と内部配線（図示せず）で接続されており、それぞれの開閉が制御されるようになっている。
なお、電解槽１１２を側板３８に取り付けるために、電解槽１１２を収納するための外装箱を設ける構造であってもよい。
【００２３】
この電解槽１１２は、図６に示すように、その内部に少なくとも一対の電極１１３ａ、１１３ｂとを備えている。この電極１１３ａ、１１３ｂは、通電された場合、電解槽１１２に配水管１１４を介して供給された所定のイオン種が添加された水道水等を電気分解して活性酸素種を含む電解水を生成させることになる。
【００２４】
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
また、給水源は、配水管１１４を介して電解水供給ユニット１００に水を供給できるものであればよく、例えば、配水管１１４を水道管（図示略）に接続して、水道管を介して供給される市水（水道水）を給水源としてもよいし、例えば、配水管１１４を給水槽（図示略）等と接続して、給水槽等に貯留された水を給水源としてもよい。ここで、給水槽等に貯留される水は水道水等のように、塩化物イオン等のイオン種が予め含有されている水であってもよいし、井戸水等のイオン種濃度の希薄な水であってもよい。以下、配水管１１４を介して給水源から供給されるこれらの水を「水道水等」という。
【００２５】
電極１１３ａ、１１３ｂは、例えばベースがＴｉ（チタン）で皮膜層がＩｒ（イリジウム）、Ｐｔ（白金）から構成された２枚の電極板を用いることができる。
【００２６】
上記電極１１３ａ、１１３ｂにより水道水等に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、水道水等に元々含有される塩化物イオン（または、後述する薬剤添装置により添加された塩化物イオン等）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００２７】
この電極１１３ａ、１１３ｂに所定の電流密度の電流（例えば、２０ｍＡ／ｃｍ2等）を通電すると、所定量の水道水等を電気分解して、所定の濃度の活性酸素種（例えば、遊離残留塩素濃度１ｍｇ／ｌ等）を含む電解水を生成することができる。また、この電流値を変更することにより、電流値を小さくした場合には電解水の次亜塩素酸の濃度を低くすることができ、電流値を大きくした場合には電解水の次亜塩素酸の濃度を高くすることができる。この電流値の変更は、例えば、図示しない可変抵抗を用いて電極１１３ａ、１１３ｂの電流値を変更するなどにより行うことができる。この可変抵抗は、電装箱３７からの信号に基づいて抵抗値が決定されるようになっている。
【００２８】
なお、配水管１１４には、給水源から供給される水道水等に所定のイオン種を含む薬剤を添加する薬剤添加装置（図示せず）を設けることもできる。ここで、所定のイオン種は、ハロゲン化物イオン（Ｘ-）であることが好ましく、特に好ましくは塩化物イオン（Ｃｌ-）である。所定のイオン種として塩化物イオンを水道水等に添加する場合、薬剤として、塩化ナトリウム（ＮａＣｌ）を用いることができる。塩化ナトリウムは、食塩などを用いて固体の状態で水道水等に添加してもよいし、食塩水のように水溶液に調整した状態で水道水等に添加してもよい。そのため、配水管１１４は、これらの所定のイオン種を含む水道水等に対して耐性があり、錆び等の配水管１１４の劣化を招かない素材であることが好ましい。このような素材の配水管１１４として、例えば、プラスチック管や、鉄製の管内部をプラスチックでコーティングした複合管を用いることができる。プラスチック管として、例えば、塩化ビニル管、ポリエチレン管、ポリブテン管、架橋ポリエチレン管などが挙げられる。また、複合管として、例えば、塩ビライニング鋼管などが挙げられる。
【００２９】
この構成では、電極１１３ａ、１１３ｂに通電することにより、殺菌力の大きいＨＣｌＯ（次亜塩素酸）等が発生し、この次亜塩素酸等の活性酸素種を含んだ電解水を空気除菌ユニット２００へ供給するようになる。
【００３０】
空気除菌ユニット２００は、図４、図５及び図７に示すように、電解水供給配管２５１を介して電解ユニット１００と接続されており、この電解水供給配管２５１から電解水が供給されるようになっている。この空気除菌ユニット２００は、保水性の高い気液接触部材２４１と、この気液接触部材２４１の上部に配置される分散皿２４２と、気液接触部材２４１の下部に配置される水受け皿２４３とを備えている。
【００３１】
気液接触部材２４１は、例えばアクリル繊維やポリエステル繊維等で作製された不織布で構成することができる。また、気液接触部材２４１の素材として、電解水に対する反応性の少ない素材が好ましく、他にポリオレフィン系樹脂（ポリエチレン樹脂、ポリプロピレン樹脂等）、塩化ビニル樹脂、フッ素系樹脂（ＰＴＦＥ、ＰＦＡ、ＥＴＦＥ等）、セルロース系材料またはセラミックス系材料等を用いることができる。この気液接触部材２４１は、親水処理を施すことなどにより、電解水に対する親和性を高めることができる。これにより、気液接触部材２４１の電解水の保水性（湿潤性）が保たれ、電解水と導入された空気との接触が長時間持続される。
【００３２】
この気液接触部材２４１の大きさは、図４及び図５に示すように、２つの吹出口４７の裏側に配置されており、２つの吹出口４７の開口部の全部または一部を覆う態様になっている。なお、この吹出口４７を覆う態様については、詳細を後述する。
【００３３】
電解水供給配管２５１は、その一部が長手方向に伸縮可能な蛇腹形状部２５３を有している。この蛇腹形状部２５３は、後述する移動ユニット３００によって気液接触部材２４１が移動したときに、この移動に伴って伸縮することができるようになっている。なお、電解水供給配管２５１は、長手方向の全長において蛇腹形状部が構成されていてもよい。
【００３４】
分散皿２４２は、長手方向における右側部に接続口２４２ａを有し、この接続口２４２ａに電解水供給配管２５１が接続されようになっている。また、分散皿２４２の底面には、電解水供給配管２５１を通じて供給された電解水を滴下して、気液接触部材２４１に分散させるための孔（不図示）が多数形成されている。
【００３５】
水受け皿２４３は、気液接触部材２４１を下方から保持するとともに、当該気液接触部材２４１を通過した電解水を貯留可能とする。この水受け皿２４３の底面には、電解水を室内熱交換器用のドレンパン（図示せず）に導くドレン管２４４が接続されている。
なお、水受け皿２４３を設けずに、室内熱交換器用のドレンパンＰ（図８参照）で電解水を直接受けるようにすることもできる。
【００３６】
図８は、移動ユニット３００の概要図である。
移動ユニット３００は、図８に示すように、気液接触部材２４１及び水受け皿２４３をこれらの下側から支持する移動台座３１０と、この移動台座３１０の移動方向に延在する案内レール３１２と、移動台座３１０を駆動する駆動モータ３１４とで構成されている。この移動台座３１０の下側には、上述した室内熱交換器用のドレンパンＰが移動台座３１０の全体を下側から覆う態様で設けられている。
【００３７】
移動台座３１０は、図８に示すように、気液接触部材２４１の横幅寸法と同程度の長さに形成された板状部材で構成されており、この移動台座３１０の下側には、２つのベアリング部材３１１が長手方向に間隔をあけて配置されている。
案内レール３１２は、ボールスプライン軸で構成されており、駆動モータ３１４の駆動力によって回転するようになっている。また、ドレンパンＰには、このボールスプライン軸の両端を回転自在に支持する支持部３１３が設けられている。このボールスプライン軸には、上述のベアリング部材３１１が挿通されており、ボールスプライン軸の正逆転方向への回転によって気液接触部材２４１が図８における左右方向（気液接触部材２４１が吹出口４７の開口部間を移動する方向）に移動するようになっている。
駆動モータ３１４は、回転角度を制御可能なモータ（例えば、ステッピングモータ）が使用されている。この駆動モータ３１４は、電装箱３７と配線によって接続されており、この電装箱３７からの信号に基づいて、駆動軸が正転または逆転させるようになっている。
【００３８】
図９は、図４の状態から空気除菌手段を紙面左側に移動させた状態を示す上面図であって、天板を一部切り欠いて示したものである。また、図１０は、図９の側面図であって、図５の状態から空気除菌手段を紙面左側に移動させた状態を示す上面図である
この移動ユニット３００は、気液接触部材２４１が右端部（図４及び図５に示す状態）から左端部（図９及び図１０に示す状態）まで移動可能なようになっている。すなわち、図８で示す案内レール３１２の長さや、支持部３１３の位置は、この移動距離に合わせて決定されている。
【００３９】
移動ユニット３００によってこの気液接触部材２４１が紙面右側に移動した状態（図５に示す状態）では、右側の吹出口４７の開口部の全部が覆われる共に、左側の吹出口４７の一部（開口面積の約３０％）を覆うようになっている。また、気液接触部材２４１が紙面左側に移動した状態（図１０に示す状態）では、左側の吹出口４７の開口部の全部が覆われる共に、右側の吹出口４７の一部（開口面積の約３０％）を覆うようになっている。
そして、気液接触部材２４１を２つの吹出口４７の中間に移動させた状態では、２つの吹出口４７の開口部のそれぞれ６５％の面積が覆われるようになっている。このとき、電解水供給配管２５１は、蛇腹形状部２５３が伸縮することによって、気液接触部材２４１の移動に追従するようになる。
【００４０】
電解水が供給された気液接触部材２４１に空調後の空気を通過させることにより、当該気液接触部材２４１を通過する空気中に浮遊するウィルス等を不活化させて、空気を除菌することができる。また、それと同時に、この気液接触部材２４１で雑菌が繁殖することを防止することができる。また、臭気等のガス状物質も気液接触部材２４１を通過する際に、電解水に溶解したり、電解水中の次亜塩素酸等の活性酸素種と反応したりして、空気中から除去され、脱臭することができる。すなわち、移動ユニット３００で気液接触部材２４１を２つの吹出口４７の開口部間を移動させることにより、左右の吹出口４７のうち、除菌等した空気を主に送風したい吹出口と、除菌等した空気は少量ではあるが、空調後の吹き出し空気の供給量を確保したい吹出口とを自由に選定し、必要に応じた空調運転を行うことができるようになる。
【００４１】
また、上述した駆動モータ３１４は、電装箱３７内に設けられた制御装置（図示せず）によって制御され、気液接触部材２４１が左右に移動する距離を自由に設定できるようになっている。また、制御装置は、気液接触部材２４１を左右の位置で往復運転させたり、この往復させる時間の間隔、往復距離、タイマー設定などを自由に設定できるようになっている。例えば、２つの吹出口４７の間で、気液接触部材２４１を所定の間隔で往復移動させることで、２つの吹出口４７からは、同量の除菌後の空気を吹き出すことができると共に、空気の供給量も同等に増やすことができるようになる。
【００４２】
本発明の実施の形態に係るビルトイン型空気調和機によれば、所定のイオン種を含む水を電気分解して活性酸素種を含む電解水を生成する電解水供給ユニット１００と、吹出ダクト３６が接続される吹出口４７の開口部を覆う態様で配置され、電解水供給ユニット１００から供給された活性酸素種を含む電解水と取り込んだ空気とを接触させる空気除菌ユニット２００とを備えているので、ビルトイン型空気調和機で空調した空気を除菌等して室内に吹き出させることができる。
また、空気除菌手段２００を移動させ、吹出口４７の開口部を覆う面積を調整可能な移動ユニット３００を備えているので、人の入退室が頻繁に行われるために除菌後の空気を多く必要とする場合や、短時間で冷暖房を行いたい場合など、それぞれの必要に応じて、除菌した空気を増加させたり、吹出空気の供給量を増加させるようにすることができる。
【００４３】
また、吹出ダクト３６及び吹出口４７を２つ設け、一方の吹出口４７を気液接触部材２４１で覆い（開口面積の全部を覆う状態）、他方の吹出口４７の一部を覆うように（開口面積の３０％を覆う状態）気液接触部材２４１の大きさを形成し、空気除菌ユニット２００が吹出口４７の開口部間を移動可能に構成しているので、気液接触部材２４１を移動させて、一方と他方の吹出口４７の開口部が覆われる面積を逆転させることができる。これにより、必要に応じて、それぞれの吹出口から吹き出される除菌後の空気、及び吹き出す空気の供給量を調節することができる。
【００４４】
さらに、空気除菌ユニット２００が所定の間隔で往復移動するように、移動ユニット３００を制御するようにしているので、両方の吹出口４７からは、同量の除菌後の空気を吹き出すことができると共に、空気の供給量も同等に増やすことができるようになる。これにより、室内を均質に空調することができる。
【００４５】
以上、本発明を実施するための最良の形態について述べたが、本発明は既述の実施形態に限定されるものではなく、本発明の技術思想に基づいて各種の変形および変更が可能である。
本実施の形態では、気液接触部材２４１の大きさを、図５において、右側の吹出口４７の全部を覆うと共に、左側の吹出口４７の一部（開口面積の約３０％）を覆う大きさに形成しているが、この気液接触部材２４１の大きさを変更することにより、除菌後の空気の供給量と、除菌していない空調後の空気の供給量の比を自由に決定することができる。
例えば、気液接触部材２４１の大きさを、左側の吹出口４７の全部を覆わないような大きさにすることで、空調後の空気の供給量を多くすることができる。また、気液接触部材２４１を２つの吹出口４７の中央部に移動させたときに、それぞれの吹出口を全く覆わない大きさにすることで、通常の空調運転と同じ量の供給量を確保できるようにすることもできる。
これによれば、設置される種々のビルの使用状況や要求に合わせたビルトイン型空気調和機を提供することができる。
【００４６】
また、本実施の形態では、吹出口４７が２つの場合について説明したが、１つの場合であっても、その開口面積を自由に調整できることは明らかである。また、３つ以上の場合であっても、特定の吹出口の開口面積の一部または全部を気液接触部材２４１で覆うようにするこができることも明らかである。これによれば、空調機利用者のそれぞれの必要に応じて、除菌した空気を増加させたり、吹出空気の供給量を増加させるようにすることができる。
【００４７】
さらに、本実施の形態では、移動ユニット３００の案内レール３１２として、ボールスプライン軸を用いて構成しているが、気液接触部材２４１を直線的に移動させることができれば、他の直動機器を用いて構成してもかまわない。
【図面の簡単な説明】
【００４８】
【図１】本発明に係るビルトイン型空気調和機であって、（Ａ）がパネル仕様ビルトイン型空気調和機の側面図、（Ｂ）がダクト仕様ビルトイン型空気調和機の側面図である。
【図２】図１（Ａ）のパネル仕様ビルトイン型空気調和機の一部を示す斜視図である。
【図３】図１（Ｂ）のダクト仕様ビルトイン型空気調和機の一部を示す斜視図である。
【図４】パネル仕様ビルトイン型空気調和機のユニット本体の上面図であって、天板を一部切り欠いて示したものである。
【図５】図４に示すユニット本体を吹出口側から見た側面図である。
【図６】電解槽および電極を概略で示す斜視図である。
【図７】空気除菌ユニットを概略で示す斜視図である。
【図８】移動ユニットを概略で示す概要図である。
【図９】図４の状態から空気除菌手段を紙面左側に移動させた状態を示す上面図であって、天板を一部切り欠いて示したものである。
【図１０】図９の側面図であって、図５の状態から空気除菌手段を紙面左側に移動させた状態を示す上面図である。
【符号の説明】
【００４９】
３０  パネル仕様ビルトイン型空気調和機
３１  建屋
３２  天井
３３  天井板
３４  天井空間
３５  ユニット本体（室内ユニット）
３６  吹出ダクト
３７  電装箱
３８  側板
３８Ａ  側板
３８Ｂ  背面板
３９  天板
４０  ダクト仕様ビルトイン型空気調和機
４１  金具
４２  ボルト
４３、４４  冷媒配管接続口
４５Ａ  ドレン配管接続口
４５Ｂ  ドレン排出口
４６  底板
４７  吹出口
４８  吹出グリル
４９  天井パネル
５０  吸込板
５１  フィルタボックス
５２  吸込ダクト
５３  吸込グリル
５７  外部配線
６５  電装箱蓋
７７  本体蓋
８０  空気除菌システム
１００  電解ユニット（電解水供給手段）
１１２  電解槽
１１３ａ、１１３ｂ  電極
１１４  配水管
２００  空気除菌ユニット（空気除菌手段）
２４１  気液接触部材
２４２  分散皿
２４２ａ  接続口
２４３  水受け皿
２４４  ドレン管
２５１  電解水供給配管
２５３  蛇腹形状部
３００  移動ユニット（移動手段）
３１０  移動台座
３１１  ベアリング部材
３１２  案内レール
３１３  支持部
３１４  駆動モータ
Ｐ  ドレンパン
【図１】
2009097768.tif 000003
【図２】
2009097768.tif 000004
【図３】
2009097768.tif 000005
【図４】
2009097768.tif 000006
【図５】
2009097768.tif 000007
【図６】
2009097768.tif 000008
【図７】
2009097768.tif 000009
【図８】
2009097768.tif 000010
【図９】
2009097768.tif 000011
【図１０】
2009097768.tif 000012